(57)【特許請求の範囲】
【請求項１】
容器の口部に取り付けられるキャップ部の内部に、前記容器の内部に連通させて形成された液体シリンダ部と、前記キャップ部に上下動可能に取り付けられたノズル部の上下動に応じて前記液体シリンダ部の内容積を増減させる液体ピストン部と、前記容器の外部に連通させて形成された空気シリンダ部と、前記ノズル部の上下動に応じて前記空気シリンダ部の内容積を増減させる空気ピストン部と、前記空気シリンダ部の内容積が増大して内圧が減少した場合に開弁させられて前記空気シリンダ部の内部に前記容器の外部から空気を吸引させる空気供給弁と、前記空気シリンダ部の内容積が減少して内圧が増大した場合に開弁させられて前記空気シリンダ部から空気を排出させる空気排出弁とを備え、前記液体シリンダ部の内容積を減少させることにより押し出された液体と、前記空気シリンダ部の内容積を減少させることにより前記空気排出弁を介して押し出された空気とを混合させて前記ノズル部から吐出させるポンプディスペンサにおいて、
前記液体シリンダ部の内部に前記空気シリンダ部における底部を連通させる排水路と、
前記排水路に設けられた排水弁とを有し、
前記排水弁は、前記空気シリンダ部の内容積の減少に伴って前記空気シリンダ部の内圧が増大した場合に開弁し、かつ、前記空気シリンダ部の内容積の増大に伴って前記空気シリンダ部の内圧が減少した場合に閉弁するように構成されている
ことを特徴とするポンプディスペンサ。
【請求項２】
前記排水弁は、前記空気排出弁を開弁させる前記空気シリンダ部の内圧より高い前記空気シリンダ部の内圧によって開弁するように構成されていることを特徴とする請求項１に記載のポンプディスペンサ。
【発明の詳細な説明】
【技術分野】
【０００１】
この発明は、ノズル部を押し下げて液体シリンダ部および空気シリンダ部の各内容積を減じることにより、液体および空気を前記ノズル部の内部に押し出すポンプディスペンサに関するものである。
【背景技術】
【０００２】
特許文献１には、容器の口首部に装着されるキャップ部の内部に、大径の空気室および小径の液導入室が一体に形成されたシリンダ部と、空気室の内容積を増減するように空気室に嵌合する空気ピストン部と、液導入室の内容積を増減するように液導入室に嵌合する液体ピストン部とを備えた泡吐出器が記載されている。それらのピストン部は、キャップ部に上下動可能に取り付けられたポンプヘッド部によって押し下げられて空気室および液導入室の各内容積を減少させるように構成されている。上記の空気室の底部には、容器の内部に連通する微細排水孔が形成されており、空気室の内容積の減少に伴ってその内圧が増大した場合に、空気シリンダ部の底部に溜まった水を微細排水孔から容器の内部に排出するようになっている。
【０００３】
また特許文献２には、空気室の内部に、その内圧に応じて空気室と容器の内部とを連通させる吸入チェック弁を設けた泡吐出器が記載されている。その吸入チェック弁は、空気室の内容積を減少させてその内圧を増大させた場合に、その高い内圧によって、空気室の底部に形成されており容器内に空気室を連通させる空気吸入口に弁体を押し当てて空気室と容器内との連通状態を遮断するように構成されている。また、空気室の内容積を減少させないことにより空気室の内圧が低い場合には、空気吸入口から弁体を離間させて空気室と容器内とを連通するようになっている。
【先行技術文献】
【特許文献】
【０００４】
【特許文献１】特開２０１０−２２７８２１号公報
【特許文献２】特開２０１１−２５１４４号公報
【発明の概要】
【発明が解決しようとする課題】
【０００５】
上記の特許文献１および特許文献２に記載された構成では、空気室と容器内とを連通させることにより、その空気室に侵入した水を容器内に排出できるので、前記空気室に侵入した水が空気室に溜まることを抑制できる。これにより空気室における空気量を確保でき、また空気室に水と共に侵入したカビや細菌などが空気室で増殖することを抑制できる。しかしながら、特許文献１および特許文献２に記載された構成では、上述したように、空気室に溜まった水は容器の内部に排出されるため、その排出された水によって容器の内部に充填された液体が薄められてその液質が低下し、それに伴って泡質が低下する可能性がある。
【０００６】
この発明は、上記の技術的課題に着目してなされたものであって、空気室に溜まった水を排出するとともに泡質の低下を抑制できるポンプディスペンサを提供することを目的とするものである。
【課題を解決するための手段】
【０００７】
上記の目的を達成するために、請求項１の発明は、容器の口部に取り付けられるキャップ部の内部に、前記容器の内部に連通させて形成された液体シリンダ部と、前記キャップ部に上下動可能に取り付けられたノズル部の上下動に応じて前記液体シリンダ部の内容積を増減させる液体ピストン部と、前記容器の外部に連通させて形成された空気シリンダ部と、前記ノズル部の上下動に応じて前記空気シリンダ部の内容積を増減させる空気ピストン部と、前記空気シリンダ部の内容積が増大して内圧が減少した場合に開弁させられて前記空気シリンダ部の内部に前記容器の外部から空気を吸引させる空気供給弁と、前記空気シリンダ部の内容積が減少して内圧が増大した場合に開弁させられて前記空気シリンダ部から空気を排出させる空気排出弁とを備え、前記液体シリンダ部の内容積を減少させることにより押し出された液体と、前記空気シリンダ部の内容積を減少させることにより前記空気排出弁を介して押し出された空気とを混合させて前記ノズル部から吐出させるポンプディスペンサにおいて、前記液体シリンダ部の内部に前記空気シリンダ部における底部を連通させる排水路と、前記排水路に設けられた排水弁とを有し、前記排水弁は、前記空気シリンダ部の内容積の減少に伴って前記空気シリンダ部の内圧が増大した場合に開弁し、かつ、前記空気シリンダ部の内容積の増大に伴って前記空気シリンダ部の内圧が減少した場合に閉弁するように構成されていることを特徴とするものである。
【０００８】
請求項２の発明は、請求項１の発明において、前記排水弁は、前記空気排出弁を開弁させる前記空気シリンダ部の内圧より高い前記空気シリンダ部の内圧によって開弁するように構成されていることを特徴とするポンプディスペンサである。
【発明の効果】
【０００９】
この発明によれば、空気シリンダ部と液体シリンダ部とを連通する排水路に、空気シリンダ部の内圧が増大した場合に開となり、前記内圧が減少した場合に閉となる排水弁が設けられている。そのため、ノズル部を押し下げることにより、空気シリンダ部の内容積が減少してその内圧が増大すると、上述した排水弁が開弁する。これにより、空気供給弁を介して空気シリンダ部の内部に空気と共に吸引された水は、排水路を介して液体シリンダ部に排出される。そして、液体シリンダ部を介して容器の外部に排出される。つまり上記の水は空気シリンダ部内に溜まることがない。そのため、上記の水が容器の内部に侵入してその容器内に充填される液体の濃度や液質が低下することを抑制できる。これにより泡質の低下を抑制できる。
【００１０】
また、この発明によれば、排出弁は、空気排出弁が開弁する空気シリンダ部の内圧より高い内圧によって開弁するように構成されているため、排出弁から排出される空気量を、空気排出弁から排出される空気量より少なくできる。つまり、泡を形成するために必要な空気量を確保できる。
【図面の簡単な説明】
【００１１】
【図１】この発明に係るポンプディスペンサの一例を示す断面図である。
【発明を実施するための形態】
【００１２】
図１は、この発明に係るポンプディスペンサの一例を示す断面図である。そのポンプディスペンサ１は、容器２の口部３に装着されるキャップ部４を備え、そのキャップ部４の上面における中央部に開口部５が形成されている。その開口部５の縁部から図１での上方に円筒状のガイドステム部６が立設されている。そのガイドステム部６の内側に、ノズル部７が上下動可能に挿入されている。
【００１３】
そのノズル部７は、泡を吐出する吐出口８と、内側が前記泡の吐出通路９となっている内筒部１０と、その内筒部１０より半径方向で外側に配置されかつガイドステム部６の外周面に沿って上下動する外筒部１１と、外気を取り入れるための吸気口１２とを有している。上記の内筒部１０は、ガイドステム部６の内側に上下動可能に挿入されるとともに、後述する空気ピストン部のステム部に連結されている。また、その内筒部１０の外周面とガイドステム部６の内周面との間に第１空気通路１３が形成されており、上述した吸気口１２および第１空気通路１３を介して空気シリンダ部および容器２内に空気を導入するように構成されている。なお、図１は、ノズル部７が上限位置に配置された状態を示している。
【００１４】
上記のキャップ部４の内側に、図１に示すように、有底のシリンダ部１４が取り付けられている。そのシリンダ部１４におけるキャップ部４側の側面に、容器２の内部に外気を導入するための第１通気孔１５が形成されている。その第１通気孔１５は、シリンダ部１４の内部に配置される空気ピストン部１６によって開閉されるようになっている。その空気ピストン部１６は、小径筒状のステム部１７と、大径筒状のピストン部１８と、それらの間に配置された中間部１９とを有しており、そのステム部１７は上記の内筒部１０の内側に嵌合している。このステム部１７の内側部分と、後述する液体ピストン部の一方の端部とによって区画された空間が混合室２０となっている。その混合室２０は、容器２の内部に充填された液体と、空気とを混合して泡を形成するためのものであり、後述するように液室から液体が供給され、また、空気室から空気が供給される。この混合室２０は、ステム部１７の上端部に形成された泡吐出孔２１を介して内筒部１０の吐出通路９に連通している。
【００１５】
空気ピストン部１６におけるピストン部１８の外周部に、摺動シール部２２が形成されている。その摺動シール部２２はシリンダ部１４の内周面に気密状態を維持して接触しかつ摺動するようになっている。つまり、シリンダ部１４は空気シリンダ部として機能する。空気ピストン部１６における中間部１９に、空気室に空気を導入するための第２通気孔２３が形成され、また、その第２通気孔２３を開閉する成形弁２４が取り付けられている。上記の空気室については後述する。
【００１６】
上記の成形弁２４の構成について簡単に説明する。成形弁２４は、円筒状の軸部２５と、半径方向で外側に延びる環状の外側弁部２６と、半径方向で内側に延びる環状の内側弁部２７とを備えている。上記の軸部２５は空気ピストン部１６の中間部１９に形成された凹部に嵌め込まれている。外側弁部２６は、空気室の内圧が増大した場合に第２通気孔２３を閉じ、空気室の内圧が低減した場合に第２通気孔２３を開くように、空気室の内側から第２通気孔２３を覆っている。内側弁部２７は前記内圧が増大した場合に開となって空気室と混合室２０とを連通し、前記内圧が低減した場合に閉となって空気室と混合室２０との連通状態を遮断するように、後述する液体ピストン部の環状突起部に接触している。上述した成形弁２４における外側弁部２６、および、成形弁２４における内側弁部２７は、予め設計した空気室の内圧によって開閉するように構成されている。なお、成形弁２４における外側弁部２６がこの発明における空気供給弁に相当し、成形弁２４における内側弁部２７がこの発明における空気排出弁に相当している。
【００１７】
上記の吐出通路９に、図１に示すように、ネットホルダ２８が設けられている。そのネットホルダ２８は、混合室２０で形成された泡を通過させることにより泡の大きさを均等に小さくいわゆる均質化するためのものであり、一例として円筒状のホルダの両端部にネットを取り付けて構成されている。それらのネットのうち、混合室２０側に取り付けられるネットの目の粗さは、吐出口８側に取り付けられるネットの目の粗さより粗くなっている。このネットホルダ２８を通過させられて均質化された泡が上記の吐出通路９に吐出される。
【００１８】
上記のシリンダ部１４における底部に、円筒状の隔壁部２９が一体に形成されている。図１に示す例では、その隔壁部２９の内側に液体シリンダ部３０がねじ込まれている。その液体シリンダ部３０の内周面に、液体ピストン部３１が液密状態を維持して接触しかつ摺動するようになっている。液体ピストン部３１の構成については後述する。上記の隔壁部２９におけるシリンダ部１４の底部側の側面に、液体シリンダ部３０の内部つまり液体ピストン部３１と液体シリンダ部３０とによって区画された空間である液室３２とその外部とを連通する連通孔３３が形成されている。その連通孔３３を液室３２の内側から閉じる排水弁３４が液室３２の内部に設けられている。その排水弁３４は、隔壁部２９の内周面に気密状態を維持して接触している。また、その排水弁３４は、いわゆる逆止弁であって、空気室の内圧が高い場合に開となり、前記内圧が低い場合に閉となるように構成されている。さらに、この排水弁３４は、上述した成形弁２４における内側弁部２７が開弁する空気室の内圧よりも高い前記内圧によって開弁するように構成されている。なお、上述した連通孔３３が、この発明における排水路に相当している。
【００１９】
上記の排水弁３４は、一例として、シリコン（登録商標）あるいはゴムなどの弾性体によって環状に形成されており、その外周面に上記の連通孔３３に嵌合する凸部３５が形成されている。つまり、連通孔３３に凸部３５を嵌合させることにより、連通孔３３を閉じるようになっている。また、その排水弁３４の幅方向での中央部に、図１に示すように、シリンダ部１４の底部側に開口する溝部３６が形成されている。このような溝部３６を形成することにより、排水弁３４における溝部３６を挟んで半径方向で両側の部分が、その半径方向に変位できるように構成されている。以下の説明では、排水弁３４の溝部３６を挟んで半径方向で外側の部分を、排水弁３４の外側弁体３７と記し、排水弁３４の溝部３６を挟んで半径方向で内側の部分を、排水弁３４の内側弁体３８と記す。
【００２０】
さらに、上記の排水弁３４とシリンダ部１４の底部との間には隙間３９が形成されている。後述するように、空気室の内圧によって上記の排水弁３４における凸部３５が前記連通孔３３から離間した場合に、連通孔３３と液室３２とが上記の隙間３９を介して連通される。
【００２１】
上記の液体ピストン部３１は、全体として円筒状に形成されており、空気ピストン部１６の内側に同心状に配置されている。具体的には、空気ピストン部１６のステム部１７の内側に、液体ピストン部３１における一方の端部が嵌め込まれている。そのため、液体ピストン部３１は、ノズル部７の押し下げ力を受けて空気ピストン部１６とともに押し下げられる。また、その液体ピストン部３１の上端部と空気ピストン部１６のステム部１７の内側との間に、上述した混合室２０が形成されている。上記の液体ピストン部３１における上端部の外周面と、空気ピストン部１６におけるステム部１７の内周面との間には、図示しない隙間が形成されており、この隙間は空気ピストン部１６のステム部１７の内側に形成された切り欠き部（図示せず）を介して混合室２０に連通している。また、その液体ピストン部３１における他方の端部は、図１に示すように、液体シリンダ部３０内に挿入されており、その他方の端部の外周面は、液体シリンダ部３０の内周面に液密状態を維持して接触しかつ摺動するようになっている。
【００２２】
この液体ピストン部３１における内周面に、後述するバネの一方の端部が当接するピストン側バネ受け部４０が形成されている。また、液体ピストン部３１の外周面に、フランジ状の環状突起部４１が形成されている。この環状突起部４１は、液体ピストン部３１を図１での下方に押し下げた場合に、液体シリンダ部３０の上端部に当接する。つまり環状突起部４１によって液体シリンダ部３０内での液体ピストン部３１の下限位置が規制されている。また、これによりノズル部７の下限位置が規制されている。そして、この環状突起部４１は、上述したように、成形弁２４の内側弁部２７に接触している。また、液体ピストン部３１における一方の端部には、図１での下側から上側に向けて次第に内径が大きくなる漏斗状もしくはすり鉢状の傾斜面が形成されている。この傾斜面は後述する第２逆止弁の弁座部として機能するものであり、以下の説明では、この傾斜面を第２弁座部４２と記す。
【００２３】
空気シリンダ部として機能するシリンダ部１４と、各ピストン部１６，３１と、液体シリンダ部３０と、隔壁部２９とによって区画された空間が上述した空気室４３となっている。また、液体シリンダ部３０と液体ピストン部３１とによって区画された空間が上述した液室３２となっている。その液室３２の内部にバネ４４と、棒状の弁体であるインナーロッド４５と、筒状係止体４６とが設けられている。上記のバネ４４は、一例としてコイルバネであって、その弾性力によって上記の空気ピストン部１６および液体ピストン部３１を図１での上方に押圧している。つまり、ノズル部７はバネ４４の弾性力に抗する押し下げ力によって図１での下方に押し下げられる。また上記の押し下げ力が減少し、その押し下げ力より前記弾性力が大きくなると、その弾性力によって各ピストン部１６，３１が図１での上方に押し上げられる。そのバネ４４の一方の端部は、上述したように、液体ピストン部３１の内周面に形成されたピストン側バネ受け部４０に当接している。バネ４４の他方の端部は、液体シリンダ部３０の底部に取り付けられた筒状係止体４６のフランジ部４７に当接している。このフランジ部４７が、バネ４４の他方の端部のバネ受け部となっている。
【００２４】
上述したシリンダ部１４の下端部には、容器２の内部と液室３２とを連通させる連通口４８が形成されており、その連通口４８における液室３２側の面は、図１での下側から上側に向けて次第に内径が大きくなる漏斗状もしくはすり鉢状に形成されている。その面にボール弁４９が載置されており、液室３２の内圧が高い場合にそれらの面とボール弁４９とを係合させて連通口４８を閉じ、液室３２の内圧が低い場合に前記面からボール弁４９を離間させて連通口４８を開く第１逆止弁５０が構成されている。以下の説明では、上記の面を第１弁座部５１と記す。上記の連通口４８には導液管５２が連結されている。その導液管５２は、容器２内に充填されている液体を液室３２内に導入するためのものであり、容器２の底部まで延びている。
【００２５】
また、図１の上下方向で第１弁座部５１の上方に、筒状係止体４６が取り付けられている。その筒状係止体４６の一方の端部の内周面に、後述するインナーロッド４５の係止部が引っ掛かる突起部５３が形成されている。その突起部５３にインナーロッド４５の係止部が引っ掛かることにより、インナーロッド４５の上昇が阻止されるようになっている。なお、筒状係止体４６にインナーロッド４５を組み付ける際には、前記筒状係止体４６の一方の端部を押し広げるように弾性変形させてその内部にインナーロッド４５の係止部を挿入させる。
【００２６】
また、図１に示すように、筒状係止体４６の長手方向での中央部より一方の端部側は円筒状に形成されている。その筒状係止体４６における前記中央部より他方の端部側には、複数の縦溝部５４が形成されており、それらの縦溝部５４を介して筒状係止体４６の内部と液室３２とが連通されている。また筒状係止体４６の他方の端部には、上述したフランジ部４７が形成されており、そのフランジ部４７に対応する形状の凹部５５が、シリンダ部１４の底部に形成されている。その凹部５５に筒状係止体４６のフランジ部４７が嵌合することにより筒状係止体４６がシリンダ部１４の底部に固定され、あるいは把持されている。
【００２７】
上述したインナーロッド４５は、全体として棒状の部材であって、そのインナーロッド４５におけるロッド部５６の一方の端部に傘状あるいは円錐状あるいはテーパー状の係止部５７が形成されている。その係止部５７の外周縁が、上記の筒状係止体４６における突起部５３に引っ掛かるようになっている。上記のロッド部５６における他方の端部に、ロッド部５６の外径および係止部５７の外径より大きい外径の大径部５８が形成されている。この大径部５８には、第２弁座部４２に係合および離間するテーパー状の傾斜面５９が形成されている。図１での上方に液体ピストン部３１を上昇させて液室３２の内容積を増大させる場合に、上記の第２弁座部４２と、大径部５８の傾斜面５９とが係合することにより、図１に示すように、液室３２の上部が閉じられるようになっている。このように大径部５８の傾斜面５９と第２弁座部４２とによって第２逆止弁６０が構成されている。
【００２８】
上記構成のポンプディスペンサ１の作用について説明する。ノズル部７が、図１に示す上限位置に配置されている場合には、空気ピストン部１６および液体ピストン部３１は、バネ４４の弾性力によって図１での上方に押圧されている。インナーロッド４５の大径部５８の傾斜面５９は第２弁座部４２に係合しており、第２逆止弁６０は閉となっている。また、インナーロッド４５の係止部５７が筒状係止体４６の突起部５３に引っ掛かっており、これによりノズル部７の上昇が停止されている。なお、後述するように、液体ピストン部３１の上昇に伴って液室３２の内容積が増大することにより、液室３２の内圧は低下する。これにより第１弁座部５１からボール弁４９が離間して第１逆止弁５０が開となり、その第１逆止弁５０を介して液室３２内に容器２内の液体が吸い上げられる。つまり液室３２は混合室２０に対して閉じ、容器２の内部に対して開いている。また排水弁３４は閉じている。
【００２９】
空気ピストン部１６の摺動シール部２２によって第１通気孔１５は塞がれており、容器２の内部は容器２の外部に対して閉じている。さらに、成形弁２４の内側弁部２７によって空気室４３と混合室２０との連通状態が遮断され、成形弁２４の外側弁部２６によって空気室４３と容器２の外部との連通状態が遮断されている。
【００３０】
図１に示す状態からノズル部７を僅かに押し下げると、その押し下げ力を受けて空気ピストン部１６および液体ピストン部３１が押し下げられる。これにより、第２弁座部４２からインナーロッド４５における大径部５８の傾斜面５９が離間して第２逆止弁６０が開となる。各ピストン部１６，３１が押し下げられた分、液室３２内のバネ４４が収縮し、空気室４３および液室３２の各内容積が減少する。これにより空気室４３および液室３２の各内圧が増大する。
【００３１】
ノズル部７を更に押し下げると、空気ピストン部１６のステム部１７の内側に、インナーロッド４５の大径部５８の上部が当接する。この状態からノズル部７を押し下げると、空気ピストン部１６によってインナーロッド４５が押し下げられる。またインナーロッド４５の係止部５７は筒状係止体４６の突起部５３から離間し、その内部を図１での下方に移動する。このようにしてノズル部７および各ピストン部１６，３１の下降に若干遅れてインナーロッド４５が下降する。液体ピストン部３１の下降に伴って液室３２の内容積が減少する。この場合、上述したように第２逆止弁６０は開となっているため、液室３２内の液体は、第２逆止弁６０を介して混合室２０に押し出される。
【００３２】
液体ピストン部３１と同様に、空気ピストン部１６は押し下げられ、それに伴って空気室の内容積が減少しかつその内圧が増大する。その結果、成形弁２４の外側弁部２６は第２通気孔２３を閉じ、これにより空気室４３は容器２の外部に対して遮断される。一方、上記の内圧により成形弁２４の内側弁部２７は環状突起部４１から離間してこれらの間が開いて、空気室４３内の空気が混合室２０に押し出される。混合室２０では液体と空気とが混合されて泡が形成される。その泡はネットホルダ２８を通過することにより均質化され、その後、ノズル部７の吐出通路９を流動して吐出口８から吐出される。また上記の第１通気孔１５が開となり、容器２の内部に、第１空気通路１３および第１通気孔１５を介して外気が導入される。
【００３３】
上記のようにして空気室４３の内圧が増大し、その圧力が予め定めた圧力より高くなると、その高い圧力によって、排水弁３４の外側弁体３７が半径方向で外側から内側に向けて変位させられ、その凸部３５が連通孔３３から離間する。つまり排水弁３４が開となり、連通孔３３および上記の隙間３９を介して空気室４３と液室３２とが連通する。これにより空気室４３内に侵入し、ここに溜まった水が液室３２に高い圧力の空気と共に排出される。
【００３４】
ノズル部７を更に押し下げると、液体ピストン部３１の外周面に形成された環状突起部４１が液体シリンダ部３０の上端部に当接する。これによりノズル部７および各ピストン部１６，３１ならびにインナーロッド４５の下降が停止させられる。
【００３５】
ノズル部７に対する押し下げ力を解除すると、バネ４４の弾性力により図１に示す上限位置に向けてノズル部７と各ピストン部１６，３１とが押し上げられる。このようにして液体ピストン部３１が押し上げられると、第２弁座部４２にインナーロッド４５の大径部５８の傾斜面５９が係合する。これにより第２逆止弁６０が閉となる。またインナーロッド４５が引き上げられる。このようにして液体ピストン部３１の上昇に若干遅れてインナーロッド４５が上昇する。インナーロッド４５の係止部５７が、筒状係止体４６の内部を上昇する。そして係止部５７が、突起部５３に引っ掛かることによりインナーロッド４５の上昇が停止させられ、これに伴って各ピストン部１６，３１およびノズル部７の上昇が停止させられる。
【００３６】
液体ピストン部３１の上昇に伴って液室３２の内容積は増大し、その内圧は容器２の内圧よりも減少する。これにより、ボール弁４９が第１弁座部５１から離間し、第１逆止弁５０は開となる。容器２の内部の液体は、液室３２の低い内圧によって導液管５２を介して液室３２に吸い上げられる。これと同様の原理により、空気ピストン部１６の上昇に伴って空気室４３の内容積は増大し、その内圧は容器２の外部の圧力よりも減少する。この空気室４３の低い内圧によって成形弁２４の外側弁部２６が第２通気孔２３から離間して第２通気孔２３が開となり、その結果、空気室４３と容器２の外部とが連通する。また、内側弁部２７は環状突起部４１に引きつけられ、空気室４３と混合室２０との連通状態が遮断される。さらに、排水弁３４の外側弁体３７は、空気室４３の低い圧力によって半径方向で内側から外側に向けて変位させられ、すなわち連通孔３３に引きつけられる。これにより連通孔３３に凸部３５が嵌合し、空気室４３と液室３２との連通状態が遮断される。そしてノズル部７が図１に示す上限位置まで上昇すると、空気ピストン部１６の摺動シール部２２によって第１通気孔１５が塞がれる。これにより容器２の内部は、その外部に対して閉じられる。
【００３７】
（実施例１）
シリコン（登録商標）を使用して上述した排水弁３４を構成した。その排水弁３４における全体としての肉厚は５ｍｍ、高さは１０ｍｍとした。また、その排水弁３４の全周に亘って溝部３６を形成した。その溝部３６の溝幅は１ｍｍ、溝深さは８ｍｍとした。排水弁３４の外側弁体３７および排水弁３４の内側弁体３８の肉厚は共に２ｍｍとした。この排水弁３４を図１に示す構成のポンプディスペンサ１に取り付け、また、その空気室４３に容器２の内部の液体とは異なる色に着色した水を５ｇ充填した。この水を以下の説明では着色水と記す。そして、ノズル部７を１０回往復動させて泡を１０回吐出させ、その後、空気室４３における着色水の残量を測定した。このようにして排水弁３４の排水性能を試験した。
【００３８】
（実施例２）
排水弁の肉厚を４ｍｍ、排水弁の外側弁体の肉厚を１ｍｍにした以外は、上述した実施例１と同様にして排水弁を成形した。その排水弁を、図１に示す構成のポンプディスペンサ１に取り付け、また、実施例１と同様にしてその排水性能を試験した。
【００３９】
（実施例３）
シリコンを使用して溝部を備えていない、いわゆる中実構造の排水弁を構成し、その排水弁の全体としての肉厚は５ｍｍ、高さは１０ｍｍとした。その排水弁を、図１に示す構成のポンプディスペンサ１に取り付け、また、実施例１および実施例２と同様にしてその排水性能を試験した。
【００４０】
（評価）
上述したいずれの排水弁を取り付けたポンプディスペンサ１であっても、吐出された泡は着色水と同じ色になっており、上記の着色水が空気室４３から液室３２に排出されていることが認められた。また、実施例３の排水弁を取り付けたポンプディスペンサ１の空気室４３における着色水の残量は４．２ｇであり、実施例１の排水弁を取り付けたポンプディスペンサ１の空気室４３における着色水の残量は３．０ｇであり、実施例２の排水弁を取り付けたポンプディスペンサ１の空気室４３における着色水の残量は１．９ｇであった。これらのことにより、排水弁３４における外側弁体３７が薄いほど、着色水すなわち空気室４３に侵入した水の排水性能が高いことが認められた。なお、各例における泡質に顕著な差異は認められなかった。そのため、泡を形成するために必要十分な量の空気が混合室２０に供給できていることが認められた。
【００４１】
したがって、上記構成のポンプディスペンサ１によれば、空気室４３に侵入し、その空気室４３に溜まった水を液室３２に排出することができる。そのため、上記の水が容器２の内部に侵入して容器２の内部に充填される液体の濃度が低下したり、液質が低下したりすることを抑制できる。またこれにより泡質の低下を抑制できる。
【符号の説明】
【００４２】
１…ポンプディスペンサ、  ２…容器、  ３…口部、  ４…キャップ部、  １４…シリンダ部（空気シリンダ部）、  １６…空気ピストン部、  ２６…空気供給弁（成形弁の外側弁部）、  ２７…空気排出弁（成形弁１８の内側弁部）、  ３０…液体シリンダ部、  ３１…液体ピストン部、  ３３…排水路、  ３４…排水弁。
【図１】
0006338981.tif 000002